(57)【要約】【課題】  電解水生成装置への電解槽の取り付け・取外し作業が非常に簡単で、着脱時間を短縮することが出来ると共に、電解槽の取付けのために不要な空間を必要とせず、小型化が可能であり、水漏れに対する電力接続部の安全性が向上し、安価に供給し得る電解槽およびこれを用いた電解水生成装置を提供する。【解決手段】  電解水生成装置６における電解槽１の筺体２が略直方体の形状を有し、その同一の壁面部２Ａに原水供給口１１，１２および電解水吐出口１３，１４が穿設されている。これらの原水供給口１１，１２および電解水吐出口１３，１４に、原水供給パイプ２１，２２の先端部および電解水吐出パイプ２３，２４の先端部が、それぞれシール材２５，２７を介して接続されるようになされている。電解槽１の電力接続部１５が、電解槽筺体２の原水供給口および電解水吐出口を有する壁面部２Ａとは異なる壁面部２Ｂに設けられている。【選択図】    図１
2005144418.tif 000002
【特許請求の範囲】
【請求項１】
電解水生成装置における電解槽の筺体内に、水を電気分解して電解水を生成するための
少なくとも一対の電極基板を具備するとともに、該筺体壁部に原水供給口および電解水吐出口を有する電解槽であって、電解槽の筺体が略直方体の形状を有し、その壁面部に原水供給口および電解水吐出口が穿設されていることを特徴とする電解槽。
【請求項２】
原水供給口および電解水吐出口が、電解槽筺体の同一壁面部に穿設されており、これら
の原水供給口および電解水吐出口に対し、電解水生成装置本体側の原水供給パイプの先端
部および電解水吐出パイプの先端部がそれぞれシール材を介して接続されるようになされていることを特徴とする請求項１記載の電解槽。
【請求項３】
電解槽の電力接続部が、電解槽筺体の原水供給口および電解水吐出口を有する壁面部と
は異なる壁面部に設けられていることを特徴とする請求項１記載の電解槽。
【請求項４】
電解水生成装置本体に対する電解槽取付部が、電解槽筺体の原水供給口および電解水吐
出口が穿設されている壁面部と反対側の壁面部に設けられていることを特徴とする請求項
１記載の電解水生成装置における電解槽。
【請求項５】
電解水生成装置本体に電解槽収容凹部が設けられ、この収容凹部内に電解槽が着脱自在
に収められていることを特徴とする請求項１〜４のうちのいずれか一項記載の電解槽を用
いた電解水生成装置。
【請求項６】
電解水生成装置本体に、前方に開口した電解槽収容凹部が設けられ、この収容凹部内に
電解槽が収められ、該電解槽の筺体の一側壁面部に穿設された原水供給口および電解水吐
出口に対し、電解水生成装置本体側の原水供給パイプの先端部および電解水吐出パイプの
先端部がそれぞれシール材を介して接続されるとともに、電解槽筺体の他側壁面部の上下両側縁部に設けられた電解槽取付部が、電解水生成装置本体の収容凹部の上下両側壁部に着脱自在に取り付けられていることを特徴とする請求項５記載の電解槽を用いた電解水生成装置。
【発明の詳細な説明】
【技術分野】
【０００１】
本発明は、電解槽およびこれを用いた電解水生成装置に関するものである。
【背景技術】
【０００２】
一般に、電解水生成装置は、水道水がフィルタで浄水された後、電解槽で電気分解され
る。このとき、浄水に塩および／またはカルシウムが調整されて電解槽に供給されること
が多い。電解槽では、内部に隔膜を介して設けられた少なくとも一対の電極基板によって
水が電気分解され、陰極側にアルカリ性水、および陽極側に酸性水が生成される。従って
、電解槽には、給水口が１箇所以上、一般に２箇所以上設けられることが多く、また、吐
水口が、アルカリ性水および酸性水用として２箇所設けられることが多い。
【０００３】
ところが、従来の電解水生成装置における電解槽は、電解水生成装置本体の内部に組み
込まれていて、電解槽の取外しを前提としていないために、電解槽の給水口と吐水口は、
相互に異なる方向に設けられ、かつ異なる手段により連結されることが多かった。
【０００４】
例えば、図６に示すように、従来の電解水生成装置では、電解槽(31)の筺体(32)の下側
壁面部(32a) に第１給水口を構成する筒形凸部(33)が下方突出状に設けられ、同筺体(32)
の前側壁面部(32b) の下部に第２給水口を構成する筒形凸部(34)が前方突出状に設けられ
るとともに、同前側壁面部(32b) の上部に第１吐水口を構成する筒形凸部(35)が前方突出
状に設けられ、さらに、同筺体(32)の上側壁面部(32c) に第２吐水口を構成する筒形凸部
(36)が上方突出状に設けられており、これらの筒形凸部(33)〜(36)が、電解水生成装置の
水管部とホースを介して連結されるか、またはパッキンを介してネジで固定されて連結さ
れていた。
【０００５】
従って、このような従来の電解槽では、電解水生成装置からの取外し作業だけでなく、
電解水生成装置への取り付け・取外し作業も、非常に面倒で、手間がかゝるという問題が
あった。
【０００６】
ところで、従来、水を電気分解してアルカリ性水と酸性水とを生成する電解水生成装置
としては、つぎの特許文献が知られている。
【特許文献１】特開平８−１９２１５７号公報  この特許文献１記載の発明は、原水を電気分解して電解水を生成する電解装置に関するもので、特許文献１の電解装置は、電解槽と、電解槽の周囲に原水供給用の第１接続口と処理水吐出用の第２接続口、及び電力入力用の電力接続部をそれぞれの接続方向を一致させて設け、第１接続口と外部原水路を連結する第１連絡部と、第２接続口と外部吐出路を連結する第２連絡部、及び電力接続部と外部電源を接続する電力中継部を備えた電解槽取り付けアダプタを設け、電解槽の電解槽取り付けアダプタへの脱着によって各接続口と各連絡部及び電力接続部と電力中継部とがそれぞれ同時に脱着されることを特徴とするものであり、原水路と処理水吐出路及び電力接続部がワンタッチで着脱でき、組み込み及び取り外しが容易で、各接続ホースと入力線などが破損や損傷することのない安全でメンテナンスフリーの電解装置を提供するものであった。
【発明の開示】
【発明が解決しようとする課題】
【０００７】
しかしながら、上記特許文献１記載の電解装置では、電解装置本体に電解槽を取り付け
るのに、電解槽取り付けアダプタを介在させており、このようなアダプタを新たに必要と
するために、電解装置の構造が複雑になるとともに、小型化の妨げになるし、新しいアダ
プタを取り付ける分、電解装置の製造コストが高くつくという問題があった。
【０００８】
そのうえ、特許文献１記載の電解装置では、電解槽に設けられている原水供給用の第１
接続口、並びに処理水吐出用の第２接続口は、いずれも電解槽の壁面より直角状に突出し
た筒形凸部によって構成されており、一方、アダプタ側の、第１接続口と外部原水路を連
結する第１連絡部、並びに第２接続口と外部吐出路を連結する第２連絡部は、いずれもア
ダプタを直角状に貫通する短筒形パイプによって構成されており、これらの短筒形パイプ
よりなる第１連絡部および第２連絡部の各先端部に、迅速継手が設けられている。従って
、特許文献１記載の電解装置では、電解槽側の接続口（筒形凸部）とアダプタ側の連絡部
（短筒形パイプ）との端部同士を、迅速継手を介して突き合わせ状に接続する管接続の態
様となるため、例え補助的な保持手段を施しても、輸送時の振動に対して弱点があるとい
う問題があった。しかも特許文献１記載の電解装置のアダプタは、その構造が複雑であり
、アダプタ自体の製造も容易でないという問題があった。
【０００９】
本発明の目的は、上記の従来技術の問題を解決し、電解水生成装置への電解槽の取り付
け・取外し作業が非常に簡単で、着脱時間を短縮することができるとともに、電解槽の取
付けのために電解水生成装置本体内に不要な空間を必要とせず、電解水生成装置の小型化
が可能であり、また水漏れに対する電力接続部の安全性が向上して、さらに従来の電解槽
アダプタを必要とせず、製造コストが安くついて、安価に供給することができる電解槽お
よびこれを用いた電解水生成装置を提供しようとすることにある。
【課題を解決するための手段】
【００１０】
上記の目的を達成するために、本発明の請求項１記載の電解槽の発明は、電解水生成装
置における電解槽の筺体内に、水を電気分解して電解水を生成するための少なくとも一対
の電極基板を具備するとともに、該筺体壁部に原水供給口および電解水吐出口を有する電解槽であって、電解槽の筺体が略直方体の形状を有し、その壁面部に原水供給口および電解水吐出口が穿設されていることを特徴としている。
【００１１】
また、本発明の請求項２記載の電解槽の発明は、上記請求項１記載の電解槽において、
原水供給口および電解水吐出口が、電解槽筺体の同一壁面部に穿設されており、これらの
原水供給口および電解水吐出口に対し、電解水生成装置本体側の原水供給パイプの先端部
および電解水吐出パイプの先端部がそれぞれシール材を介して接続されるようになされていることを特徴としている。
【００１２】
本発明の請求項３記載の電解槽の発明は、上記請求項１記載の電解槽において、電解槽
の電力接続部が、電解槽筺体の原水供給口および電解水吐出口を有する壁面部とは異なる
壁面部に設けられていることを特徴としている。
【００１３】
本発明の請求項４記載の電解槽の発明は、上記請求項１記載の電解槽において、電解水
生成装置本体に対する電解槽取付部が、電解槽筺体の原水供給口および電解水吐出口が穿
設されている壁面部と反対側の壁面部に設けられていることを特徴としている。
【００１４】
本発明の請求項５記載の電解水生成装置の発明は、上記請請求項１〜４のうちのいずれ
か一項記載の電解槽を用いた電解水生成装置であって、電解水生成装置本体に電解槽収容
凹部が設けられ、この収容凹部内に電解槽が着脱自在に収められていることを特徴として
いる。
【００１５】
本発明の請求項６記載の電解水生成装置の発明は、上記請求項６記載の電解水生成装置
において、電解水生成装置本体に、前方に開口した電解槽収容凹部が設けられ、この収容
凹部内に電解槽が収められ、該電解槽の筺体の一側壁面部に穿設された原水供給口および
電解水吐出口に対し、電解水生成装置本体側の原水供給パイプの先端部および電解水吐出
パイプの先端部がそれぞれシール材を介して接続されるとともに、電解槽筺体の他側壁面部の上下両側縁部に設けられた電解槽取付部が、電解水生成装置本体の収容凹部の上下両側壁部に着脱自在に取り付けられていることを特徴としている。
【発明の効果】
【００１６】
本発明の請求項１記載の電解槽の発明は、上述のように、電解水生成装置における電解
槽の筺体内に、水を電気分解して電解水を生成するための少なくとも一対の電極基板を具
備するとともに、該筺体壁部に原水供給口および電解水吐出口を有する電解槽であって、電解槽の筺体が略直方体の形状を有し、その壁面部に原水供給口および電解水吐出口が穿設されていることを特徴とするもので、本発明によれば、電解水生成装置への電解槽の取り付け・取外し作業が非常に簡単で、着脱時間を短縮することができるとともに、電解槽の取付けのために電解水生成装置本体内に不要な空間を必要とせず、電解水生成装置の小型化が可能であり、また従来の電解槽アダプタを必要とせず、製造コストが安くついて、安価に供給することができるという効果を奏する。
【００１７】
また、本発明の請求項２記載の電解槽の発明は、上記請求項１記載の電解槽において、
原水供給口および電解水吐出口が、電解槽筺体の同一壁面部に穿設されており、これらの
原水供給口および電解水吐出口に対し、電解水生成装置本体側の原水供給パイプの先端部
および電解水吐出パイプの先端部がそれぞれシール材を介して接続されるようになされていることを特徴とするもので、本発明によれば、電解水生成装置への電解槽の取り付け・取外し作業が非常に簡単で、着脱時間を短縮することができるとともに、電解槽の取付けのために電解水生成装置本体内に不要な空間を必要とせず、電解水生成装置の小型化が可能であるという効果を奏する。
【００１８】
本発明の請求項３記載の電解槽の発明は、上記請求項１記載の電解槽において、電解槽
の電力接続部が、電解槽筺体の原水供給口および電解水吐出口を有する壁面部とは異なる
壁面部に設けられていることを特徴とするもので、本発明によれば、水漏れに対する電力
接続部の安全性が向上するという効果を奏する。
【００１９】
本発明の請求項４記載の電解槽の発明は、上記請求項１記載の電解槽において、電解水
生成装置本体に対する電解槽取付部が、電解槽筺体の原水供給口および電解水吐出口が穿
設されている壁面部と反対側の壁面部に設けられていることを特徴とするもので、本発明
によれば、電解水生成装置への電解槽の取り付け・取外し作業が非常に簡単で、着脱時間
を短縮することができるとともに、電解槽の取付けのために電解水生成装置本体内に不要
な空間を必要とせず、電解水生成装置の小型化が可能であり、製造コストが安くついて、
安価に供給することができるという効果を奏する。
【００２０】
本発明の請求項５記載の電解水生成装置の発明は、上記請請求項１〜４のうちのいずれ
か一項記載の電解槽を用いた電解水生成装置であって、電解水生成装置本体に電解槽収容
凹部が設けられ、この収容凹部内に電解槽が着脱自在に収められていることを特徴とする
もので、本発明によれば、電解水生成装置への電解槽の取り付け・取外し作業が非常に簡
単で、着脱時間を短縮することができるとともに、電解槽の取付けのために電解水生成装
置本体内に不要な空間を必要とせず、電解水生成装置の小型化が可能であり、また従来の
電解槽アダプタを必要とせず、製造コストが安くついて、安価に供給することができると
いう効果を奏する。
【００２１】
本発明の請求項６記載の電解水生成装置の発明は、上記請求項６記載の電解水生成装置
において、電解水生成装置本体に、前方に開口した電解槽収容凹部が設けられ、この収容
凹部内に電解槽が収められ、該電解槽の筺体の一側壁面部に穿設された原水供給口および
電解水吐出口に対し、電解水生成装置本体側の原水供給パイプの先端部および電解水吐出
パイプの先端部がそれぞれシール材を介して接続されるとともに、電解槽筺体の他側壁面部の上下両側縁部に設けられた電解槽取付部が、電解水生成装置本体の収容凹部の上下両側壁部に着脱自在に取り付けられていることを特徴とするもので、本発明によれば、電解水生成装置への電解槽の取り付け・取外し作業が非常に簡単で、着脱時間を短縮することができるとともに、電解槽の取付けのために電解水生成装置本体内に不要な空間を必要とせず、電解水生成装置の小型化が可能であり、また従来の電解槽アダプタを必要とせず、製造コストが安くついて、安価に供給することができるという効果を奏する。
【発明を実施するための最良の形態】
【００２２】
つぎに、本発明の実施の形態を、図面を参照して説明する。
【００２３】
まず、図１を参照すると、本発明による電解槽１は、筺体（ケーシング）２内に、水を
電気分解して電解水を生成するための少なくとも一対の電極基板（図示略）を具備すると
ともに、筺体２の壁部に原水供給口１１，１２および電解水吐出口１３，１４を有してい
る。電解槽１の筺体２は、略直方体の形状を有している。
【００２４】
電解槽筺体２の同一面、すなわち図１からみて筺体２の前側壁面部２Ａに、原水供給口（原水供給孔）１１，１２および電解水吐出口（電解水吐出孔）１３，１４が穿設されている。また電解槽１の電力接続部１５が、電解槽筺体２の原水供給口１１，１２および電解水吐出口１３，１４を有する前側壁面部２Ａとは異なる右側壁面部２Ｂに設けられている。さらに、電解水生成装置本体に対する電解槽取付部１６が、電解槽筺体２の原水供給口１１，１２および電解水吐出口１３，１４が穿設されている前側壁面部２Ａと反対側の後側壁面部２Ｃの上下両端部にそれぞれ設けられている。各電解槽取付部１６の左右両端部には、ねじ挿通孔１７があけられており、これらのねじ挿通孔１７に電解槽取付用ねじ５がねじ込まれるようになされている。
【００２５】
つぎに、図２〜図５を参照すると、電解水生成装置６は、その内部にフィルターカート
リッジ３を具備し、かつ電解水生成装置本体（筺体）７に、前方に開口した電解槽収容凹
部１０が設けられていて、この収容凹部１０内に電解槽１が収められている。
【００２６】
電解水生成装置６の電解槽収容凹部１０の奥部のパイプ取付壁部１８に、原水供給パイプ（給水連絡水管部）２１（他方の原水供給パイプ（給水連絡水管部）２２は、図示されていない）の先端部および電解水吐出パイプ（吐水連絡水管部）２３（他方の電解水吐出パイプ（吐水連絡水管部）２４は、図示されていない）の先端部が、それぞれフランジ１９，２０を介して電解槽収容凹部１０内に突出した状態に固定されており、この収容凹部１０内に電解槽１が嵌め込まれた際、これの電解槽筺体２の前側壁面部２Ａの原水供給口（原水供給孔）１１，１２および電解水吐出口（電解水吐出孔）１３，１４に、原水供給パイプ２１，２２の先端部および電解水吐出パイプ２３，２４の先端部が、それぞれＯ−リングよりなるシール材２５，２７を介して差込み状に接続されるようになされている。
【００２７】
図３は、電解槽１の筺体２の前側壁面部２Ａに設けられた原水供給口（原水供給孔）１
１に、原水供給パイプ２１の先端部２１ａが差し込まれて、シール材２５を介して液密に
接続されている部分を示している。なお、図示の原水供給口（原水供給孔）１１の内部に
は、環状段部９が設けられていて、電解水吐出口（電解水吐出孔）１３と同じ断面形状と
なされている。
【００２８】
なお、同図に示すように、原水供給パイプ２１の先端部２１ａは、電解水生成装置６の
電解槽収容凹部１０の奥部のパイプ取付壁部１８の下端部に、フランジ１９を介してかつ
電解槽収容凹部１０内に固定されている。
【００２９】
また、電解水生成装置本体（筺体）７の下端部の左右両側縁部には、それぞれ雌ねじ部
８が設けられており、電解槽１の後側壁面部２Ｃの下端部に設けられた電解槽取付部１６
の左右ねじ挿通孔１７を貫通したねじ５が、これらの雌ねじ部８にねじ込まれることよっ
て、電解水生成装置本体（筺体）７の下端部に、電解槽１の下端部が強固に固定されるよ
うになされている。
【００３０】
図４と図５は、電解槽１の筺体２の前側壁面部２Ａに設けられた電解水吐出口（電解水
吐出孔）１３に、電解水吐出パイプ２３の先端部２３ａが差し込まれて、シール材２７を介して液密に接続されている部分を示している。図示の電解水吐出口（電解水吐出孔）１３の内部には、環状段部９が設けられ、一方、電解水吐出パイプ２３の先端部２３ａにも環状段部２６が設けられていて、シール材２７は、これらの電解水吐出口１３側の環状段部９と、電解水吐出パイプ先端部２３ａ側の環状段部２６との間に形成された空間部内に収められるようになされている。
【００３１】
なお、同図に示すように、電解水吐出パイプ２３の先端部２３ａは、電解水生成装置６
の電解槽収容凹部１０の奥部のパイプ取付壁部１８の下端部に、フランジ２０を介してか
つ電解槽収容凹部１０内に固定されている。
【００３２】
また、電解水生成装置本体（筺体）７の上端部の左右両側縁部には、それぞれ雌ねじ部
８が設けられており、電解槽１の後側壁面部２Ｃの上端部に設けられた電解槽取付部１６
の左右ねじ挿通孔１７を貫通したねじ５が、これらの雌ねじ部８にねじ込まれることよっ
て、電解水生成装置本体（筺体）７の上端部に、電解槽１の上端部が強固に固定されるよ
うになされている。
【００３３】
本発明の電解槽１によれば、電解槽筺体２が略直方体の形状を有し、その前側壁面部２Ａに原水供給口（原水供給孔）１１，１２および電解水吐出口（電解水吐出孔）１３，１４が穿設されている。従って、本発明によれば、電解槽１の筺体２に、従来のような給水口を構成する筒形凸部や吐水口を構成する筒形凸部などの突出物が全くなく、このため電解槽１は、非常にコンパクトで、電解水生成装置６の本体（筺体）７内に不要な空間を必要とせず、電解水生成装置６の小型化が可能である。
【００３４】
しかも、電解槽１を電解水生成装置６の本体（筺体）７の収容凹部１０内に嵌め込むだ
けで、電解槽筺体２の原水供給口（原水供給孔）１１，１２および電解水吐出口（電解水
吐出孔）１３，１４に、原水供給パイプ２１，２２の先端部および電解水吐出パイプ２３
，２４の先端部が、それぞれシール材２５，２７を介して差込み状に、かつ４箇所同時に
接続され、さらに、電解槽１の後側壁面部２Ｃの上下両端部に設けられた電解槽取付部１
６の左右ねじ挿通孔１７を貫通したねじ５が、電解水生成装置本体（筺体）７の上下両端
部の雌ねじ部８それぞれにねじ込まれることよって、電解水生成装置本体（筺体）７に電
解槽１が強固に固定されると同時に、上記接続の封止が達成される。
【００３５】
また、電解槽１を電解水生成装置６の本体（筺体）７の収容凹部１０から取り出すだけ
で、上記の接続が４箇所同時に外れて封止が解除され、電解水生成装置６から電解槽１を
取り外すことができる。
【００３６】
このように、電解水生成装置６への電解槽１の取付け・取外し作業が非常に簡単で、着
脱時間を短縮することができる。勿論、従来の電解槽アダプタを必要とせず、製造コスト
が安くついて、安価に供給することができるものである。また、電解槽１の後側壁面部２
Ｃの上下両端部の電解槽取付部１６が、電解水生成装置６の本体（筺体）７の上下両端部
に直接保持されるため、振動などに対しても強固である。従って、従来の迅速継手などを
必要としない簡単な接続法であり、必要に応じてＯ−リングよりなるシール材２７を交換するだけですみ、メンテナンスが容易で、低コストですむ、優れた接続法である。
【００３７】
また、図１に示すように、電解槽１の電力接続部１５は、電力中継部（図示略）と通常
のコネクターで接続される。電気用コネクターの着脱は簡単で容易なため、その構造は、
とくに限定されるものではない。そして、電解槽１の電力接続部１５は、電解槽筺体２の
原水供給口１１，１２および電解水吐出口１３，１４を有する前側壁面部２Ａとは異なる
右側壁面部２Ｂに設けられている。従って、本発明によれば、水漏れ時に電力接続部１５
が直接冠水するおそれがなく、水漏れに対する電力接続部１５の安全性が向上する。
【００３８】
なお、電解槽１の電力接続部１５は、電解槽筺体２の原水供給口１１，１２および電解
水吐出口１３，１４のある前側壁面部２Ａに対し、異なる壁面部に設けられておれば良く
、とくに電解槽筺体２の右側壁面部２Ｂに限定されるものではない。
【００３９】
本発明による電解水生成装置６では、例えば水道水がフィルターカートリッジ３で浄水
された後、この浄水またはこの浄水に塩が添加された塩水が、原水供給パイプ２１を介し
て電解槽１の原水供給口（原水供給孔）１１に送られるとともに、浄水またはこの浄水に
カルシウム（カルシウム化合物）が添加された水溶液が、原水供給パイプ２２を介して電
解槽１の原水供給口（原水供給孔）１２に送られて、電解槽１内で隔膜を介して設けられ
た少なくとも一対の電極基板によって電気分解される。電気分解により生成した酸性電解
水は、電解槽１の電解水吐出口１３から排出され、電気分解により生成したアルカリ性電
解水は、電解槽１の電解水吐出口１４から排出される。
【００４０】
なお、上記実施形態においては、電解槽１の筺体２の前側壁面部２Ａに、原水供給口（原水供給孔）１１，１２および電解水吐出口（電解水吐出孔）１３，１４をそれぞれ２箇所設けたが、これより多くても少なくても構わない。また、電解槽筺体２の後側壁面部２Ｃの上下両端部に電解槽取付部１６が、電解槽１よりわずかにはみ出した状態にそれぞれ設けられているが、電解槽取付部１６は、電解槽１からはみ出さずに、電解槽１を貫通する状態に設けられていても良い。また、シ−リング材２５、２７としてＯ−リングが示されているが、これに限定されるものでなく、例えばユニオンパッキン等公知のものを採択使用することが出来るものである。
【図面の簡単な説明】
【００４１】
【図１】本発明の電解槽の実施形態を示す概略斜視図である。
【図２】図１の電解槽を備えた本発明の電解水生成装置を示す概略縦断面図である。
【図３】図２の要部拡大断面図で、電解槽の原水供給口部分を示している。
【図４】同図２の要部拡大断面図で、電解槽の電解水吐出口部分を示している。
【図５】図４の要部拡大断面図である。
【図６】従来の電解槽の概略斜視図である。
【符号の説明】
【００４２】
１：電解槽
２：筺体
２Ａ：筺体の前側壁面部
２Ｂ：筺体の右側壁面部
２Ｃ：筺体の後側壁面部
６：電解水生成装置
７：電解水生成装置本体（筺体）
１０：電解槽収容凹部
１１：原水供給口（原水供給孔）
１２：原水供給口（原水供給孔）
１３：電解水吐出口（電解水吐出孔）
１４：電解水吐出口（電解水吐出孔）
１５：電力接続部
１６：電解槽取付部
２１：原水供給パイプ（給水連絡水管部）
２２：原水供給パイプ（給水連絡水管部）
２３：電解水吐出パイプ（吐水連絡水管部）
２４：電解水吐出パイプ（吐水連絡水管部）
２５：シール材
２７：シール材
【図１】
2005144418.tif 000003
【図２】
2005144418.tif 000004
【図３】
2005144418.tif 000005
【図４】
2005144418.tif 000006
【図５】
2005144418.tif 000007
【図６】
2005144418.tif 000008